(57)【要約】      （修正有）【課題】スペーサーの版体部の材料を減らして軽量化とコスト低減ができ、しかも鉄筋の耐荷重性能を十分に果たせる、４点支持式モルタルスペーサーを提供する。【解決手段】本考案にかかる４点支持式モルタルスペーサーは、版体部１とクリップ部１１を備えている。該版体部１は並行する側面２と該側面の外周を囲む外周面３を有する。該クリップ部１１は該外周面３に取付けられている。該外周面３の該クリップ部１１と相対する位置の４隅から支脚部４が突出している。該版体部１は該側面２に該クリップ部１１側の始端部５が肉薄で該支脚部４側の終端部６にかけて肉厚が漸増するリブ７を備えている。そして、該クリップ部１１は鉄筋Ｃに対する弾着用となっている。【選択図】図１
0003235586.tif 000002
【実用新案登録請求の範囲】
【請求項１】
版体部(1)とクリップ部(11)を備え、
該版体部(1)は並行する側面(2)と該側面の外周を囲む外周面(3)を有し、
該クリップ部(11)は該外周面(3)に取付けられており、
該外周面(3)の該クリップ部(11)と相対する位置の４隅から支脚部(4)が突出しており、
該版体部(1)は該側面(2)に該クリップ部(11)側の始端部(5)が肉薄で該支脚部(4)側の終端部(6)にかけて肉厚が漸増するリブ(7)を備えており、
該クリップ部(11)は鉄筋(C)に対する弾着用となっている
ことを特徴とする４点支持式モルタルスペーサー。
【請求項２】
該版体部(1)は該側面(2)上で相対する該支脚部(4)間に開口(8)を備え、該外周面(3)上で相対する支脚部４間に該開口(8)より開口面積の小さい導入口(8’)が形成されている請求項１に記載の４点支持式モルタルスペーサー。
【請求項３】
該リブ(7)は該始端部(5)から該終端部(6)にかけてその中間部(9)まで幅(W)が漸増し、該中間部(9)で該支脚部(3)方向へ分岐している請求項１又は２に記載の４点支持式モルタルスペーサー。
【請求項４】
該版体部(1)は縦長(L’)が大きくなっていている請求項１、２又は３に記載の４点支持式モルタルスペーサー。。
【考案の詳細な説明】
【技術分野】
【０００１】
本考案は４点支持式モルタルスペーサーにかかり、軽量化、共用時の安定化及び下部へのコンクリートの回り込み性の向上に資するようにしたものである。
【背景技術】
【０００２】
一般に床版や梁等の鉄筋コンクリート製品の打設成形に際して鉄筋はスペーサーにより型枠との間にかぶり寸法が確保されるが、型枠が床面になっている場合はスペーサーが鉄筋の重量を支持することになるので強度が要求され、ブロック部分は厚くならざるを得ない（特許文献１及び２参照）。
【先行技術文献】
【特許文献】
【０００３】
【特許文献１】意匠登録第１１１９６４７号公報
【特許文献２】特開２００４−９８６４２号公報
【考案の概要】
【考案が解決しようとする課題】
【０００４】
特許文献１の鎖線で示された部分意匠は截底四角錐状で、使用状態を示す参考斜視図を見ると、鉄筋と並行の側面部分の材料が無駄になっている。
また、特許文献２では図１の符号１が示す角錐の構築用スペーサーも鉄筋と並行又は直交の側面部分の材料が無駄になっている。
【課題を解決するための手段】
【０００５】
（請求項１）本孝案に係る４点支持式モルタルスペーサーは版体部とクリップ部を備えている。該版体部は並行する側面と該側面の外周を囲む外周面を有している。該クリップ部は該外周面に取付けられている。該外周面の該クリップ部と相対する位置の４隅から支脚部が突出している。該版体部は該側面(2)に該クリップ部側の始端部が肉薄で該支脚部側の終端部にかけて肉厚が漸増するリブを備えている。そして、該クリップ部は鉄筋に対する弾着用となっている。
【０００６】
該版体部はリブを備えているので、この版体部と同じ縦長及び横幅のサイコロ状のブロックに比べて厚さを減らしても鉄筋荷重に対応することができ、軽量化やコストの低減を果たせる。
【０００７】
（請求項２）該版体部は該側面上で相対する該支脚部間に開口を備え、該外周面上で相対する支脚部間に該開口より開口面積の小さい導入口が形成されていてもよい。
【０００８】
こうすると、打設コンクリートは該開口や該導入口から型枠と該版体部間の隙間に流入して密填するので、コンクリート製品中に空隙が発生するのを防げる。
【０００９】
（請求項３）該リブは該始端部から該終端部にかけてその中間部まで幅が漸増し、該中間部で該支脚部方向へ分岐していてもよい。
【００１０】
こうすると、該リブの存在により該リブ以外の該側面の部分の厚みを減らせるので、該版体部の軽量化を果たせる。
【００１１】
（請求項４）該版体部は縦長が大きくなっていていてもよい。
【００１２】
こうすると、鉄筋と型枠間の間隔を大にしてコンクリートのかぶりを厚くでき、雨水等による鉄筋の腐食防止に役立つ。
【考案の効果】
【００１３】
本考案にかかる４点支持式モルタルスペーサーによれば、スペーサーの版体部の材料を減らして軽量化でき、しかも鉄筋の耐荷重性能を十分に果たせる。
【図面の簡単な説明】
【００１４】
【図１】本考案にかかる４点支持式モルタルスペーサーの具体例を示す正面図である。
【図２】同平面図である。
【図３】図１のＡ−Ａ’線断面図である。
【図４】本考案にかかる４点支持式モルタルスペーサーの別態様を示す正面図である。
【考案を実施するための形態】
【００１５】
（請求項１）本孝案に係る４点支持式モルタルスペーサーは版体部１とクリップ部１１を備えている。この版体部１は並行する側面２と両側面の外周を囲む外周面３を有している。クリップ部１１は外周面３に取付けられている。この外周面３のクリップ部１１と相対する位置の４隅から支脚部４が突出している。版体部１は側面２にクリップ部１１側の始端部５が肉薄で支脚部４側の終端部６にかけて肉厚が漸増するリブ７を備えている。そして、このクリップ部１１は鉄筋Ｃに対する弾着用となっている。
【００１６】
版体部１はリブ７を備えているので、この版体部１と同じ縦長Ｌ及び横幅Ｂのサイコロ状のブロックに比べて厚さＴを減らしても鉄筋Ｃの荷重に対応することができ、軽量化やコストの低減を果たせる。
【００１７】
（請求項２）版体部１は側面２上で相対する支脚部４、４間に開口８を備え、外周面３上で相対する支脚部４、４間に開口８より開口面積の小さい導入口８’を備えている。
【００１８】
この場合、打設されるコンクリートは開口８や導入口８’から型枠Ｋと版体部１間の隙間に流入するので、そこに空隙が発生するのを防げる。
【００１９】
（請求項３）版体部１は縦長Ｌ’が大きくなっていている。
【００２０】
この場合、鉄筋Ｃと型枠Ｋ間の間隔を大にしてコンクリートのかぶりＦを厚くでき、雨水等による腐食防止に役立つ。
【符号の説明】
【００２１】
１      版体部
１’    版体部
２      側面
３      外周面
４      支脚部
５      始端部
６      終端部
７      リブ
８      開口
８’    導入口
９      中間部
１１    クリップ部
Ｃ      鉄筋
Ｗ      幅
Ｌ      縦長
Ｌ’    縦長
Ｂ      横幅
Ｔ      高さ
Ｋ      型枠
Ｆ      かぶり
【図１】
0003235586.tif 000003
【図２】
0003235586.tif 000004
【図３】
0003235586.tif 000005
【図４】
0003235586.tif 000006